(57)【要約】  【課題】自動販売機に関し、盗難防止用プレ−トの軸部が外部からの外力に対し、機械強度が弱く、軸部がたわむため、盗難防止用プレ−トが外れる可能性の低減を図る。  【解決手段】庫内を開閉する内扉と外扉の商品取出口との間に前後に回動可能に軸支した盗難防止用プレ−ト９を備え、軸部先端近傍部において、軸支部と断面形状が異なることにより、外部から押しても、軸受部材１２の軸受穴部１２ａが噛み込み、軸部９ａが抜けないことにより、盗難防止用プレ−ト９が容易に外れない自動販売機ができる。【選択図】図５
2009266064.tif 000002
【特許請求の範囲】
【請求項１】
庫内を開閉する内扉と、外扉の商品取出口との間に前後に回動可能に軸支した盗難防止用プレートを備える自動販売機において、前記盗難防止用プレートの軸を支えるための軸受部材を有し、前記軸受部材は前記盗難防止用プレートの軸部に挿入され、前記軸受部材を挿入するために前記盗難防止用プレートの軸部の長手方向に沿って前記盗難防止用プレート端部に切り欠きを設けたことを特徴とする自動販売機。
【請求項２】
盗難防止用プレートは、軸部先端近傍部において、軸支部と断面形状が異なることを特徴とする請求項１に記載の自動販売機。
【請求項３】
軸受部材は、軸受穴部において、盗難防止用プレートの軸支部断面形状と異なることを特徴とする請求項２に記載の自動販売機。
【請求項４】
盗難防止用プレートは、軸支部において加工端面箇所が、軸受部材の軸受部で回転動作時に加重を受けない位置に形成されることを特徴とする請求項１から３のいずれか一項に記載の自動販売機。
【発明の詳細な説明】
【技術分野】
【０００１】
本発明は缶入り飲料などの商品を販売する自動販売機に関するものである。
【背景技術】
【０００２】
近年、缶入り飲料などの商品を販売する自動販売機は、商品取出口に盗難防止プレ−トを設けて飲料商品の盗難防止を図ってきた。
【０００３】
しかし、盗難防止プレ−トは飲料商品の盗難防止を図るに反し、飲料商品を商品取出口から取り出す際、邪魔で取り出しにくいという欠点があるため、設置先の判断により、取り出し性を優位に考え盗難防止プレ−トを取り外す可能性がある。そこで、盗難防止プレ−トは工具なしで着脱可能とすることが望ましい。
【０００４】
また、取り出し性を向上するため、商品取出口内は仕切りを設けず、その結果、盗難防止プレ−ト自動販売機の幅近くの両端支持軸となり、さらに自動販売機１台あたりの収容本数を増すために大型化が進み、盗難防止プレ−トの両端での軸支において、支持幅が増してきている。
【０００５】
図８は一般に缶入り飲料などの商品を販売する自動販売機の構成図である。図８において、自動販売機の本体１の前面に設けられた外扉２と、外扉２の下部に設けた商品取出口３と、内扉４と、本体１の庫内に搭載した商品収容ラック５と、商品収容ラック５から商品取出口３に搬出する搬出シュート６である。
【０００６】
以上のように構成された自動販売機について、以下にその動作を説明する。
【０００７】
まず、商品販売指令により商品収容ラック５から搬出した商品は搬出シュート６に落下し、搬出シュート６の傾斜を商品の自重で滑り落ち、内扉４に設けられた搬出扉７を押し開けて商品取出口３の中に転がり落ち受容される。そして、自動販売機利用客は商品取出口３の前面に配した取出口扉８を開いて内部に手を差し入れ、盗難防止用プレ−ト９を押しのけて、商品を掴んで取出すことができる。
【０００８】
次に図９は、従来の自動販売機の構成図である。以下、図面を参照しながら上記従来の自動販売機を説明する。図９に示すように従来の自動販売機は、商品取出口３の底板３ａに樹脂製底部シート１０と、前面板３ｂに勘合する断面逆Ｕ字状をなす硬質樹脂製の搬出緩衝材１１と、商品取出口３内部には開閉角度により、庫外から手や棒を庫内に入るのを防ぐための盗難防止用プレ−ト９と、盗難防止用プレ−ト９を前後に回動可能にするための軸部９ａから構成されている。
【０００９】
以上のように構成された自動販売機について、以下その動作を説明する。
【００１０】
まず、内扉４に設けられた搬出扉７を押し開けて商品取出口３の中に転がり落ちた商品は、搬出緩衝材１１に当たり、底部シート１０に落下し、商品取出口３に受容される。そして、自動販売機利用客は商品取出口３の前面に配した取出口扉８を開いて内部に手を差し入れ、軸部９ａにより回動可能な盗難防止用プレ−ト９を押しのけて、商品を掴んで取出すことができる。
【００１１】
次に図１０は、従来の一方から見た盗難防止用プレートの着脱詳細図であり、図１１は、従来の他方から見た盗難防止用プレートの着脱詳細図である。以下、図面を参照しながら上記従来の盗難防止用プレートの着脱動作を説明する。
【００１２】
まず、盗難防止用プレ−ト９の一方の軸を軸受部材１２に形成された軸受穴１２ａに挿入し、そして図１０において２点鎖線で示すように、盗難防止用プレ−ト９を軸受部材１２の規制を受けない位置まで回転させ、図１０において右方に移動させる。
【００１３】
このとき、盗難防止用プレ−ト９のもう一方の軸がもう一方の軸受部材１３の軸受穴１３ａに挿入可能位置となる。そして図１１において左方に移動させることで、盗難防止用プレ−ト９が両端支持とすることができる。
【００１４】
この場合、外扉２が本体１に対し、閉状態となっていると図１０において２点鎖線で示すように、盗難防止用プレ−ト９は軸受部材１２の規制を受けない位置には、内扉４に干渉し回転させることはできない。
【特許文献１】特開２００６−１４６５７５号公報
【発明の開示】
【発明が解決しようとする課題】
【００１５】
しかしながら、上記従来の構成は、盗難防止用プレ−ト９を回動可能にするための軸部９ａが、長手方向において、外部からの外力に対し、機械強度が弱く、軸部９ａがたわむため、盗難防止用プレ−ト９が軸受部材１２の軸受穴１２ａまたは軸受部材１３の軸受穴１３ａから外れる可能性があるという課題を有していた。
【００１６】
本発明は従来の課題を解決するもので、軸部９ａのたわみによる軸外れを防止し、取り出し口からの手入れによる商品盗難を防止する自動販売機を提供することを目的とする。
【課題を解決するための手段】
【００１７】
上記従来の課題を解決するために、本発明の自動販売機は、盗難防止用プレートの軸部に沿って前記盗難防止用プレート端部に軸受部材が入ることができる切り欠きを備えた自動販売機を提供するものである。
【００１８】
これによって、前記盗難防止用プレートの軸部に沿って前記軸受部材が入ることができるので、軸支持幅寸法が狭くなり、軸部のたわみ量が低減されることにより、前記盗難防止用プレ−トが容易に外れなくすることができる。
【００１９】
また、本発明の自動販売機は、盗難防止用プレートの軸先端部近傍において、軸支部と断面形状が異なる盗難防止用プレートを備えた自動販売機を提供するものである。
【００２０】
これによって、前記盗難防止用プレートの軸部において外部からの外力に対し、軸部がたわんでも、前記軸先端部近傍の軸支部と断面形状が異なる部により、軸受部材の軸受穴に噛み込むことにより、前記盗難防止用プレ−トが容易に外れなくすることができる。
【００２１】
また、本発明の自動販売機は、前記発明をさらに、前記軸受部材の軸受穴部において、盗難防止用プレートの軸支部断面形状と異なる軸受部材を備えた自動販売機を提供するものである。
【００２２】
これによって、前記盗難防止用プレートの着脱時に、軸部先端近傍部の断面形状と軸受穴部形状を合わせることにより、スムーズな取り付けを行うことができる。
【００２３】
また、本発明の自動販売機は、前記発明のいずれかをさらに、前記盗難防止用プレートの軸支部において加工端面箇所が、軸受部材の軸受部で回転動作時に加重を受けない位置
に形成されている盗難防止用プレートを備えた自動販売機を提供するものである。
【００２４】
これによって、自動販売機利用客が飲料商品を取り出す動作において、前記盗難防止用プレートを内扉側へ押しやり回転させても、前記盗難防止用プレ−トの軸支部において加工端面箇所と、軸受部材の軸受穴部で端面が擦れあうことないことにより、異音を防ぐことができる。
【発明の効果】
【００２５】
本発明の自動販売機は、盗難防止用プレ−トの両端支持箇所の幅を狭めることにより、外部からの外力による軸部たわみを低減し、簡単に盗難防止プレートが外れないようにした。また、本発明の自動販売機は、盗難防止用プレ−トの軸部先端近傍部が軸受部材の軸受穴形状と異なることで噛み合い、簡単に盗難防止プレートが外れないようにした。
【発明を実施するための最良の形態】
【００２６】
請求項１に記載の発明は、庫内を開閉する内扉と、外扉の商品取出口との間に前後に回動可能に軸支した盗難防止用プレートを備える自動販売機において、前記盗難防止用プレートの軸部を支えるための軸受部材を有し、前記軸受部材は前記盗難防止用プレートの軸部に挿入され、前記軸受部材を挿入するために前記盗難防止用プレートの軸部に沿って前記盗難防止用プレート端部に切り欠きを設けたことにより、前記盗難防止用プレ−トの両端支持幅が狭くなり、軸部の外部からの外力に対し、たわみ量が低減することができ、前記盗難防止用プレートが容易に外れなくすることができる。
【００２７】
請求項２に記載の発明は、盗難防止用プレートの軸部先端近傍部において、軸支部と断面形状が異なることにより、前記盗難防止用プレートの軸部において外部からの外力に対し、軸部がたわんでも、前記軸先端部近傍の軸支部と断面形状が異なる部により、軸受部材の軸受穴に噛み込むことにより、前記盗難防止用プレ−トが容易に外れなくすることができる。
【００２８】
請求項３に記載の発明は、請求項２に記載の発明で、さらに軸受部材の軸受穴部において、盗難防止用プレートの軸支部断面形状と異なることにより、前記盗難防止用プレートの着脱時に、軸部先端近傍部の断面形状と軸受穴部形状を合わせることにより、スムーズな取り付けを行うことができる。
【００２９】
請求項４に記載の発明は、請求項１から３のいずれか一項に記載の発明において、さらに盗難防止用プレートの軸支部において加工端面箇所が、軸受部材の軸受部で回転動作時に加重を受けない位置に形成されることにより、自動販売機利用者が飲料商品を取り出す動作において、前記盗難防止用プレートを内扉側へ押しやり回転させても、前記盗難防止用プレ−トの軸支部において、加工端面箇所と軸受部材の軸受穴部で端面が擦れあうことないことにより、異音を防ぐことができる。
【００３０】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００３１】
（実施の形態１）
図１は、本発明の実施の形態１における自動販売機の構成図である。図２は、本発明の実施の形態１による自動販売機の盗難防止用プレ−トの切り欠き加工部品詳細図である。
【００３２】
図１に示すように、自動販売機は基本的に図８に示した従来構造と同様であるが、図２に示すように、軸受部材１２を挿入するために盗難防止用プレート９の軸部９ａに沿って
盗難防止用プレート９の端部に切り欠き９ｂが設けられており、軸受部材１２は天板１４にビスなどで強固に取り付けられている。
【００３３】
なお、切り欠き９ｂは、軸受部材１２の軸受穴部１２ａ及び軸受部材１２の軸受外形１２ｂが挿入できる大きさとなっており、軸受部材１２は、盗難防止用プレート９の切り欠き９ｂ内に位置している。
【００３４】
また、軸部断面形状は略円形状に限るものではない。以上のように構成された自動販売機の商品取出口装置について、以下にその動作を説明する。まず、飲料商品盗難のため、盗難防止用プレ−ト９の軸部９ａを庫内側へ押しても、盗難防止用プレ−ト９の切り欠き９ｂにより、軸受部材１２が自動販売機本体の中心により近くなり、盗難防止用プレ−ト９の軸支部幅が狭くなることで、たわみ量が低減できる。その結果、盗難防止用プレ−ト９が容易に外れなくすることができ、取り出し口からの手入れによる商品盗難を防止することができる。
【００３５】
（実施の形態２）
図３は、本発明の実施の形態２による自動販売機の盗難防止用プレ−トの軸部の軸部先端近傍部詳細図である。
【００３６】
本実施の形態は、盗難防止用プレ−ト９の軸部先端近傍部９ｃにおいて、切り起し、エンボス、突起などの軸支部と断面形状が異なる形状を備えたものである。
【００３７】
以上のように構成された自動販売機の盗難防止用プレ−トについて、以下にその動作を説明する。
【００３８】
まず、飲料商品盗難のため、盗難防止用プレ−ト９の軸部９ａを庫内側へ押しても、軸部先端近傍部９ｃの軸支部と断面形状が異なる形状により、軸受部材１２の軸受穴部１２ａに噛み込み、盗難防止用プレ−ト９が容易に外れなくすることができ、取り出し口からの手入れによる商品盗難を防止することができる。
【００３９】
図４は、本発明の実施の形態２による自動販売機の盗難防止用プレ−トの着脱詳細を示した図である。
【００４０】
本実施の形態では、まず、盗難防止用プレ−ト９の軸部先端近傍部の軸支部と断面形状が異なる形状９ｃを軸受部材１２の軸受穴部１２ａに差し込み、図４の２点鎖線のように盗難防止用プレ−ト９の軸部９ａを軸受部材１２の軸受穴部１２ａに挿入できる位置まで回転させ、他方の軸部が他方の軸受部材に挿入できる位置まで挿入する。そして、従来と同様に盗難防止用プレ−ト９を取り付ける。
【００４１】
また、盗難防止用プレ−ト９の取り付け状態においては、軸部先端近傍部の軸支部と断面形状が異なる形状９ｃは、軸受部材１２の軸受穴部１２ａを通過し、自動販売機の商品取り出し動作時などにおける盗難防止用プレ−ト９の回転動作時には、回転動作を妨げることはない。
【００４２】
また、図５は、本発明の実施の形態２による自動販売機の軸受部材に盗難防止用プレ−トを挿入する前を示す図である。
【００４３】
本実施の形態をさらに、軸受部材１２において、盗難防止用プレートの軸支部断面形状と異なる鍵穴形状１２ｃを備えたものである。
【００４４】
鍵穴形状１２ｃは、軸受穴部の一部を切り欠いたものであり、盗難防止用プレ−ト９の軸部先端近傍部９ｃの切り起し、エンボス、突起などの軸支部と断面形状が異なる形状が挿入できる形状となっている。また、外扉が閉まっている自動販売機の状態では、盗難防止用プレ−ト９を回転させても、内扉に干渉し、鍵穴形状１２ｃと盗難防止用プレ−ト９の軸部先端近傍部９ｃの切り起し、エンボス、突起などの軸支部と断面形状が異なる形状が一致することはない。
【００４５】
以上のように構成された自動販売機の盗難防止用プレ−トについて、以下にその動作を説明する。
【００４６】
まず、飲料商品盗難のため、盗難防止用プレ−ト９の軸部９ａを庫内側へ押しても、軸部先端近傍部９ｃの軸支部と断面形状が異なる形状により、軸受部材１２の鍵穴形状１２ｃに噛み込み、盗難防止用プレ−ト９が容易に外れなくすることができ、取り出し口からの手入れによる商品盗難を防止することができる。
【００４７】
また着脱方法は、まず、盗難防止用プレ−ト９の軸部先端近傍部の軸支部と断面形状が異なる形状９ｃを軸受部材１２の鍵穴形状１２ｃに差し込み、他方の軸受部材１３の鍵穴形状１３ｂに他方の軸部先端近傍部の軸支部と断面形状が異なる形状９ｃが挿入できる位置まで挿入する。そして、従来と同様に盗難防止用プレ−ト９を取り付ける。
【００４８】
また、盗難防止用プレ−ト９の取り付け状態においては、軸部先端近傍部の軸支部と断面形状が異なる形状９ｃは、軸受部材１２の鍵穴形状１２ｃを通過し、自動販売機の商品取り出し動作時などにおける盗難防止用プレ−ト９の回転動作時には、回転動作を妨げることはない。
【００４９】
（実施の形態３）
図６は、本発明の実施の形態３による自動販売機の盗難防止用プレ−トの軸支部の端面位置詳細図である。また、図７は、本発明の実施の形態３における自動販売機の構成図である。
【００５０】
本実施の形態は、盗難防止用プレ−ト９の軸支部９ａにおいて加工端面９ｄが、軸受部材１２の軸受部で回転動作時に加重を受けない位置に形成されている。
【００５１】
以上のように構成された自動販売機の盗難防止用プレ−トについて、以下にその動作を説明する。
【００５２】
まず、自動販売機利用者が飲料商品を取り出す際、商品取り出し口３の中へ手をいれると、盗難防止用プレ−ト９を内扉４側へ軸部９ａにより回転させ、空間を開けることにより、飲料商品を取り出すことができる。
【００５３】
この時、軸部９ａの軸支部加工端面９ｄが、回転により加重を受けない位置に形成されるので、軸受部材１２の軸受穴部１２ａで端面が擦れあうことがなく、結果、異音を発生させることがない。
【産業上の利用可能性】
【００５４】
以上のように、本発明にかかる自動販売機は、軸部に軸抜け防止形状を備えることにより、軸たわみによる軸抜けを防止することができるので、缶入り飲料などの商品を販売する自動販売機以外にも、たばこや切符の自動販売機の商品取出口装置等の用途にも適用できる。
【図面の簡単な説明】
【００５５】
【図１】本発明の実施の形態１による自動販売機の構成図
【図２】同実施の形態の盗難防止用プレ−トの切り欠き加工部品詳細図
【図３】本発明の実施の形態２の盗難防止用プレ−トの軸部の軸部先端近傍部詳細図
【図４】本発明の実施の形態２の盗難防止用プレ−トの着脱詳細を示した分解斜視図
【図５】本発明の実施の形態２の軸受部材に盗難防止用プレ−トを挿入する前を示す分解斜視図
【図６】本発明の実施の形態３の盗難防止用プレ−トの軸支部の端面位置詳細図
【図７】本発明の実施の形態３による自動販売機の構成図
【図８】従来の自動販売機の構成図
【図９】従来の自動販売機の構成図
【図１０】従来の一方から見た盗難防止用プレートの着脱詳細図
【図１１】従来の他方から見た盗難防止用プレートの着脱詳細図
【符号の説明】
【００５６】
１    本体
２    外扉
３    商品取出口
４    内扉
７    搬出扉
９    盗難防止用プレ−ト
９ａ  軸部
９ｂ  切り欠き部
９ｃ  軸部先端近傍部
９ｄ  加工端面
１２  軸受部材
１２ａ  軸受穴部
１２ｂ  軸受外形
１２ｃ  鍵穴形状
１３  他方の軸受部材
１３ａ  他方の軸受穴部
１３ｂ  他方の鍵穴形状
１４  天板
【図１】
2009266064.tif 000003
【図２】
2009266064.tif 000004
【図３】
2009266064.tif 000005
【図４】
2009266064.tif 000006
【図５】
2009266064.tif 000007
【図６】
2009266064.tif 000008
【図７】
2009266064.tif 000009
【図８】
2009266064.tif 000010
【図９】
2009266064.tif 000011
【図１０】
2009266064.tif 000012
【図１１】
2009266064.tif 000013